(57)【特許請求の範囲】
【請求項１】
通信ネットワークの伝送路から取得したデータの解析を行う通信解析装置において、
前記データが所定の長さ毎に分割された複数の分割データに、前記所定の長さを定義する分割単位情報と、前記データにおける前記分割データの開始位置及び終了位置に関する情報である分割位置情報とを有する分割整理情報を付与する分割整理情報付与手段と、
前記データを原データとして有する分割整理情報付データを生成する分割整理情報付データ生成手段と、
データ同期手段と
を備え、
前記分割整理情報付与手段は、前記分割データが通信電文である場合、
前記分割単位情報が通信単位である前記分割整理情報を、電文通信単位分割整理情報(300a1)として前記分割データに付与し、前記分割単位情報が変調単位である前記分割整理情報を、電文変調単位分割整理情報(300a2)として前記分割データに付与し、
前記分割整理情報付データ生成手段は、
前記原データが原通信電文であり、前記分割データが分割通信電文である前記分割整理情報付データを、分割整理情報付通信電文(200a)として生成し、前記分割整理情報付通信電文(200a)には、前記電文通信単位分割整理情報(300a1)及び／又は前記電文変調単位分割整理情報(300a2)が、前記分割整理情報として付与され、
前記分割整理情報付与手段は、前記分割データが波形信号である場合、
前記分割単位が通信単位である前記分割整理情報を、波形通信単位分割整理情報(300b1)として前記分割データに付与し、前記分割単位が変調単位である前記分割整理情報を、波形変調単位分割整理情報(300b2)として前記分割データに付与し、
前記分割整理情報付データ生成手段は、
前記原データが原波形信号であり、前記分割データが分割波形信号である前記分割整理情報付データを、分割整理情報付波形信号(200b)として生成し、前記分割整理情報付波形信号(200b)には、前記波形通信単位分割整理情報(300b1)及び／又は前記波形変調単位分割整理情報(300b2)が、前記分割整理情報として付与され、
前記データ同期手段は、
前記電文通信単位分割整理情報(300a1)が付与された、前記分割整理情報付通信電文(200a)を１つ以上記憶する分割整理情報付通信電文記憶手段(103)と、
前記波形通信単位分割整理情報(300b1)が付与された、前記分割整理情報付波形信号(200b)を１つ以上記憶する分割整理情報付波形信号記憶手段(104)と、
同期判定条件を１つ以上有する同期判定手段とを有し、
前記同期判定手段は、
前記電文通信単位分割整理情報(300a1)と、前記波形通信単位分割整理情報(300b1)とが、前記同期判定条件を満たすとき、
当該電文通信単位分割整理情報(300a1)が有する関連ＩＤに、当該波形通信単位分割整理情報(300b1)が有する基本ＩＤを設定し、
当該波形通信単位分割整理情報(300b1)が有する関連ＩＤに、当該電文通信単位分割整理情報(300a1)が有する基本ＩＤを設定することを特徴とする通信解析装置。
【請求項２】
前記分割整理情報付通信電文記憶手段(103)は、前記電文変調単位分割整理情報(300a2)が付与された、前記分割整理情報付通信電文(200a)を１つ以上記憶し、
前記分割整理情報付波形信号記憶手段(104)は、前記波形変調単位分割整理情報(300b2)が付与された、前記分割整理情報付波形信号(200b)を１つ以上記憶し、
前記同期判定手段は、
前記電文変調単位分割整理情報(300a2)と、前記波形変調単位分割整理情報(300b2)とが、前記同期判定条件を満たすとき、
当該電文変調単位分割整理情報(300a2)が有する関連ＩＤに、当該波形変調単位分割整理情報(300b2)が有する基本ＩＤを設定し、
当該波形変調単位分割整理情報(300b2)が有する関連ＩＤに、当該電文変調単位分割整理情報(300a2)が有する基本ＩＤを設定することを特徴とする請求項１記載の通信解析装置。
【請求項３】
前記電文通信単位分割整理情報(300a1)、前記波形通信単位分割整理情報(300b1)、前記電文変調単位分割整理情報(300a2)、及び前記波形変調単位分割整理情報(300b2)は、前記分割データの開始時刻及び終了時刻の情報を有し、
前記同期判定手段は、
前記開始時刻の差異と前記終了時刻の差異とが共に所定の時刻誤差閾値以下であるか否かを、前記同期判定条件とすることを特徴とする請求項２記載の通信解析装置。
【請求項４】
通信電文を逐次取得して前記分割整理情報付通信電文記憶手段(103)に通知する通信手段と、
波形信号を逐次取得して前記分割整理情報付波形信号記憶手段(104)に通知する波形計測手段と
を備え、
前記分割整理情報付通信電文記憶手段(103)は、
前記通信電文が通知される度に、前記分割整理情報付通信電文(200a)を生成し、前記通信電文を格納し、
前記分割整理情報付波形信号記憶手段(104)は、
前記波形信号が通知される度に、前記分割整理情報付通信電文(200a)を生成し、前記波形信号を格納することを特徴とする請求項１〜３の何れかに記載の通信解析装置。
【請求項５】
前記分割整理情報付与手段は、
前記所定の長さが時間長のとき、前記分割位置情報として、前記分割データの開始時刻及び終了時刻の情報を付与することを特徴とする請求項１〜４の何れかに記載の通信解析装置。
【請求項６】
前記分割整理情報付与手段は、
前記各分割整理情報に固有な基本ＩＤを生成し、該基本ＩＤを有する前記分割整理情報を付与することを特徴とする請求項１〜５の何れかに記載の通信解析装置。
【請求項７】
前記分割整理情報は、当該分割整理情報以外の他の前記分割整理情報が有する基本ＩＤであって、前記分割データ同士が所定の関連を有する基本ＩＤが、関連ＩＤとして１個以上設定されることを特徴とする請求項１〜６の何れかに記載の通信解析装置。
【請求項８】
前記分割整理情報付与手段は、
前記所定の長さの大小に応じて、前記各分割整理情報の階層関係を定義し、
上位階層の前記分割整理情報に対応する前記分割データが、
下位階層の前記分割整理情報に対応する前記分割データを含むとき、
上位階層の前記分割整理情報と、下位階層の前記分割整理情報とが相互に参照可能な前記基本ＩＤを生成することを特徴とする請求項６又は７記載の通信解析装置。
【請求項９】
前記分割整理情報付与手段は、
下位階層の前記分割整理情報が有する基本ＩＤが、上位階層の前記分割整理情報が有する前記基本ＩＤを含むことにより、相互に参照可能であることを特徴とする請求項８記載の通信解析装置。
【請求項１０】
前記電文通信単位分割整理情報(300a1)は、前記分割データが準じている通信規約に関する情報を有することを特徴とする請求項１〜９の何れかに記載の通信解析装置。
【請求項１１】
前記分割整理情報付データは、
前記原データを前記所定の長さに分割した前記分割データごとに、前記分割整理情報付与手段から前記分割整理情報が付与されることを特徴とする請求項１〜１０の何れかに記載の通信解析装置。
【請求項１２】
前記分割整理情報付データは、データ情報を有し、
前記データ情報は、前記原データを取得した時刻である原データ取得時刻情報が含まれることを特徴とする請求項１〜１１の何れかに記載の通信解析装置。
【請求項１３】
前記データ情報は、
前記原波形信号のサンプリングレートの情報が含まれることを特徴とする請求項１〜１２の何れかに記載の通信解析装置。
【請求項１４】
解析条件を１つ以上有する解析器を、１つ以上有する信号解析手段を備え、
前記信号解析手段は、
前記データが所定の長さ毎に分割され、当該データに応じた分割整理情報が付与された分割データが入力され、
前記解析器は、
前記分割整理情報に基づき、前記解析条件を満たす前記分割データを選出し、当該分割データを解析することを特徴とする請求項１〜１３の何れかに記載の通信解析装置。
【請求項１５】
前記解析器は、
前記分割データの解析結果の情報を、前記分割整理情報に格納することを特徴とする請求項１４記載の通信解析装置。
【請求項１６】
前記解析器は、
前記分割データが準じている通信規約が、当該解析器が準じている通信規約と一致するか否かを、前記解析条件とすることを特徴とする請求項１４又は１５記載の通信解析装置。
【請求項１７】
前記解析器は、
前記分割整理情報の前記所定の長さを定義する情報を、前記解析条件とすることを特徴とする請求項１４〜１６の何れかに記載の通信解析装置。
【請求項１８】
前記信号解析手段は、
前記データが波形信号である前記分割データを解析する波形解析器を、前記解析器として１つ以上有し、
前記波形解析器は、
前記分割整理情報に基づき、前記解析条件を満たす前記分割データの波形信号を選出し、当該波形信号を解析することを特徴とする請求項１４〜１７の何れかに記載の通信解析装置。
【請求項１９】
前記信号解析手段は、
前記波形信号の周波数成分を導出するフーリエ変換器、
前記波形信号のパワースペクトルを算出するスペクトル算出器、
前記波形信号の同相成分と異相成分とを算出するＩ−Ｑ算出器、
前記波形信号のＭＥＲを算出するＭＥＲ算出器、
及び前記波形信号の乱れ要因を推論する乱れ診断器の少なくとも１つを前記波形解析器として有することを特徴とする請求項１８記載の通信解析装置。
【請求項２０】
前記信号解析手段は、
前記分割整理情報付波形信号(200b)が入力され、
前記波形解析器は、
前記分割整理情報付波形信号(200b)に付与された、前記波形通信単位分割整理情報(300b1)、又は前記波形変調単位分割整理情報(300b2)に基づき、前記解析条件を満たす前記分割整理情報付波形信号(200b)を選出し、
選出した当該分割整理情報付波形信号(200b)の前記分割波形信号を解析し、
該解析結果を前記波形通信単位分割整理情報(300b1)、又は前記波形変調単位分割整理情報(300b2)に格納することを特徴とする請求項１８又は１９の何れかに記載の通信解析装置。
【請求項２１】
前記解析器は、
前記データ同期手段により設定された前記波形通信単位分割整理情報(300b1)の前記関連ＩＤを、前記基本ＩＤとして有する前記電文通信単位分割整理情報(300a1)の前記通信規約に関する情報を、当該波形通信単位分割整理情報(300b1)の付与された分割整理情報付波形信号(200b)の前記分割波形信号が準じている通信規約とすることを特徴とする請求項２０記載の通信解析装置。
【請求項２２】
前記分割整理情報付与手段を備え、
前記分割整理情報付与手段は、
前記分割波形信号が準じている通信規約に関する情報を有する前記通信単位分割整理情報(300b1)、又は前記波形変調単位分割整理情報(300b2)を、前記分割整理情報付波形信号(200b)に付与することを特徴とする請求項２１記載の通信解析装置。
【請求項２３】
前記信号解析手段は、
前記データが通信電文である前記分割データを解析する通信解析器を、前記解析器として１つ以上有し、
前記通信解析器は、
前記分割整理情報に基づき、前記解析条件を満たす前記分割データの通信電文を選出し、当該通信電文を解析することを特徴とする請求項１４〜１７の何れかに記載の通信解析装置。
【請求項２４】
前記信号解析手段は、
前記通信電文の送信先及び送信元アドレスを導出するアドレス解析器、及び前記通信電文のＣＲＣエラーを導出するＣＲＣエラー判定器の少なくとも１つを前記通信解析器として有することを特徴とする請求項２３記載の通信解析装置。
【請求項２５】
前記信号解析手段は、
前記分割整理情報付通信電文(200a)が入力され、
前記通信解析器は、
前記分割整理情報付通信電文(200a)に付与された、前記電文通信単位分割整理情報(300a1)、又は前記電文変調単位分割整理情報(300a2)に基づき、前記解析条件を満たす前記分割整理情報付通信電文(200a)を選出し、
選出した当該分割整理情報付通信電文(200a)の前記分割通信電文を解析し、
該解析結果を前記電文通信単位分割整理情報(300a1)、又は前記電文変調単位分割整理情報(300a2)に格納することを特徴とする請求項２３又は２４記載の通信解析装置。
【請求項２６】
表示用データ生成器を２つ以上有する分割整理情報付表示用データ生成手段(111)を備え、
前記分割整理情報付表示用データ生成手段(111)は、
前記信号解析手段により解析された前記分割データの解析結果が入力され、
前記表示用データ生成器により、前記分割データの解析結果を変換して表示用データを生成し、
該表示用データを所定の個数格納し、当該所定の個数に関する分割単位情報を有する、分割整理情報を付与した分割整理情報付表示用データ(200c)を生成することを特徴とする請求項１４〜２５の何れかに記載の通信解析装置。
【請求項２７】
前記分割整理情報付表示用データ生成手段(111)は、
入力された前記分割データの前記分割整理情報に基づき、各表示用データ生成器に対応する前記分割データの解析結果を、当該表示用データ生成器に入力することを特徴とする請求項２６記載の通信解析装置。
【請求項２８】
前記分割整理情報付表示用データ生成手段(111)は、
前記表示用データの生成元である前記分割データに付与された前記分割整理情報が有する前記基本ＩＤを、当該表示用データの前記分割整理情報の前記関連ＩＤとして設定することを特徴とする請求項２７記載の通信解析装置。
【請求項２９】
前記分割整理情報付表示用データ生成手段(111)は、
前記分割単位が表示範囲個数である前記分割整理情報を、表示分割整理情報(300c1)として前記表示用データに付与することを特徴とする請求項２６〜２８の何れかに記載の通信解析装置。
【請求項３０】
前記分割整理情報付表示用データ生成手段(111)は、
前記分割単位が選択範囲個数である前記分割整理情報を、選択分割整理情報(300c2)として前記表示用データに付与することを特徴とする請求項２６〜２９の何れかに記載の通信解析装置。
【請求項３１】
前記データが所定の長さ毎に分割された分割データの解析結果が、表示用に変換された表示用データを記憶する表示範囲データ記憶手段と、
前記表示用データを表示させるデータ幅である表示範囲データを指定する表示用データ指定手段と、
指定された前記表示範囲データに対応する前記表示用データを、前記表示範囲データ記憶手段から抽出する関連表示用データ抽出手段と、
２つ以上の解析結果表示手段と
を有する信号解析結果表示手段を備え、
前記解析結果表示手段は、
抽出された前記表示用データのうち、当該解析結果表示手段に対応する所定の前記表示用データを表示することを特徴とする請求項１〜３０の何れかに記載の通信解析装置。
【請求項３２】
前記表示範囲データ記憶手段は、
前記データが通信電文又は波形信号である前記分割データの解析結果が、表示用に変換された表示用データを記憶することを特徴とする請求項３１記載の通信解析装置。
【請求項３３】
前記解析結果表示手段は、
前記波形信号のパワースペクトルを表示するスペクトル表示手段、
前記波形信号の同相成分と異相成分とを表示するコンスタレーション表示手段、
前記波形信号のＭＥＲを表示するＭＥＲ表示手段、
及び前記波形信号の乱れ要因の推論結果を表示する乱れ要因表示手段の少なくとも１つを有することを特徴とする請求項３１又は３２記載の通信解析装置。
【請求項３４】
前記表示用データ指定手段は、
前記表示範囲データに加え、前記表示用データを所定の個数選択して表示させるデータ幅である選択用データを１つ以上指定し、
前記関連表示用データ抽出手段は、
抽出した前記表示範囲データに対応する各表示用データのうち、指定された前記選択用データに対応する前記表示用データを、前記表示範囲データ記憶手段から抽出し、
前記解析結果表示手段は、
抽出された前記選択用データに対応する前記表示用データを、他の表示用データと識別して表示することを特徴とする請求項３１〜３３の何れかに記載の通信解析装置。
【請求項３５】
前記表示範囲データ記憶手段は、
前記分割整理情報付表示用データ(200c)を、前記表示用データとして１つ以上記憶し、
前記表示用データ指定手段は、
前記分割整理情報付表示用データ(200c)に付与された、前記表示分割整理情報(300c1)が有する表示範囲個数を、前記表示範囲データとして指定し、
前記分割整理情報付表示用データ(200c)に付与された、前記選択分割整理情報(300c2)が有する選択範囲個数を、前記選択データとして指定し、
前記関連表示用データ抽出手段は、
指定された前記表示範囲データに対応する前記表示分割整理情報(300c1)が有する前記関連ＩＤと同じ前記関連ＩＤを有する、別の前記表示分割整理情報(300c1)が有する前記表示用データを抽出し、
指定された前記選択データに対応する前記選択分割整理情報(300c2)が有する前記関連ＩＤと同じ前記関連ＩＤを有する、別の前記選択分割整理情報(300c2)が有する前記関連データを抽出することを特徴とする請求項３４記載の通信解析装置。
【請求項３６】
通信ネットワークの伝送路から取得したデータの解析を行う通信解析装置において、
請求項１〜１３の何れかに記載の分割整理情報付与手段と、
請求項１〜１３の何れかに記載の分割整理情報付データ生成手段と、
請求項１〜１３の何れかに記載のデータ同期手段と、
請求項１４〜３０の何れかに記載の信号解析手段と、
請求項３１〜３５の何れかに記載の信号解析結果表示手段と
を有することを特徴とする通信解析装置。
【請求項３７】
前記通信ネットワークが、住宅内通信、電力線通信、無線通信信号、又は制御機器間通信であることを特徴とする請求項３６記載の通信解析装置。
【請求項３８】
前記制御機器が空調機器であることを特徴とする請求項３７記載の通信解析装置。
【請求項３９】
通信ネットワークの伝送路から取得したデータの解析を行う通信解析方法において、
前記データが所定の長さ毎に分割された複数の分割データを取得するステップと、
前記データを原データとして有する分割整理情報付データを生成する分割整理情報付データ生成ステップと、
前記分割データに、前記所定の長さを定義する分割単位情報と、前記データにおける前記分割データの開始位置及び終了位置に関する情報である分割位置情報とを有する分割整理情報を付与する分割整理情報付与ステップと、
データ同期ステップと、
を有し、
前記分割整理情報付与ステップは、前記分割データが通信電文である場合、
前記分割単位情報が通信単位である前記分割整理情報を、電文通信単位分割整理情報(300a1)として前記分割データに付与し、前記分割単位情報が変調単位である前記分割整理情報を、電文変調単位分割整理情報(300a2)として前記分割データに付与し、
前記分割整理情報付データ生成ステップは、
前記原データが原通信電文であり、前記分割データが分割通信電文である前記分割整理情報付データを、分割整理情報付通信電文(200a)として生成し、前記分割整理情報付通信電文(200a)には、前記電文通信単位分割整理情報(300a1)及び／又は前記電文変調単位分割整理情報(300a2)が、前記分割整理情報として付与され、
前記分割整理情報付与ステップは、前記分割データが波形信号である場合、
前記分割単位が通信単位である前記分割整理情報を、波形通信単位分割整理情報(300b1)として前記分割データに付与し、前記分割単位が変調単位である前記分割整理情報を、波形変調単位分割整理情報(300b2)として前記分割データに付与し、
前記分割整理情報付データ生成ステップは、
前記原データが原波形信号であり、前記分割データが分割波形信号である前記分割整理情報付データを、分割整理情報付波形信号(200b)として生成し、前記分割整理情報付波形信号(200b)には、前記波形通信単位分割整理情報(300b1)及び／又は前記波形変調単位分割整理情報(300b2)が、前記分割整理情報として付与され、
前記データ同期ステップは、
前記電文通信単位分割整理情報(300a1)が付与された、前記分割整理情報付通信電文(200a)を１つ以上記憶する分割整理情報付通信電文記憶ステップと、
前記波形通信単位分割整理情報(300b1)が付与された、前記分割整理情報付波形信号(200b)を１つ以上記憶する分割整理情報付波形信号記憶ステップと、
同期判定条件を１つ以上有する同期判定ステップとを有し、
前記同期判定ステップは、
前記電文通信単位分割整理情報(300a1)と、前記波形通信単位分割整理情報(300b1)とが、前記同期判定条件を満たすとき、
当該電文通信単位分割整理情報(300a1)が有する関連ＩＤに、当該波形通信単位分割整理情報(300b1)が有する基本ＩＤを設定し、
当該波形通信単位分割整理情報(300b1)が有する関連ＩＤに、当該電文通信単位分割整理情報(300a1)が有する基本ＩＤを設定することを特徴とする通信解析方法。
【請求項４０】
前記分割整理情報付通信電文記憶ステップは、
前記電文変調単位分割整理情報(300a2)が付与された、前記分割整理情報付通信電文(200a)を１つ以上記憶し、
前記分割整理情報付波形信号記憶ステップは、
前記波形変調単位分割整理情報(300b2)が付与された、前記分割整理情報付波形信号(200b)を１つ以上記憶し、
前記同期判定ステップは、
前記電文変調単位分割整理情報(300a2)と、前記波形変調単位分割整理情報(300b2)とが、前記同期判定条件を満たすとき、
当該電文変調単位分割整理情報(300a2)が有する前記関連ＩＤに、当該波形変調単位分割整理情報(300b2)が有する前記基本ＩＤを設定し、
当該波形変調単位分割整理情報(300b2)が有する前記関連ＩＤに、当該電文変調単位分割整理情報(300a2)が有する前記基本ＩＤを設定することを特徴とする請求項３９記載の通信解析方法。
【請求項４１】
前記電文通信単位分割整理情報(300a1)、前記波形通信単位分割整理情報(300b1)、前記電文変調単位分割整理情報(300a2)、及び前記波形変調単位分割整理情報(300b2)は、前記分割データの開始時刻及び終了時刻の情報を有し、
前記同期判定ステップは、
前記開始時刻の差異と前記終了時刻の差異とが共に所定の時刻誤差閾値以下であるか否かを、前記同期判定条件とすることを特徴とする請求項４０記載の通信解析方法。
【請求項４２】
前記分割整理情報付通信電文記憶ステップは、通信手段により通知された通信電文を逐次取得し、前記通信電文が通知される度に、前記分割整理情報付通信電文(200a)を生成し、前記通信電文を格納し、
前記分割整理情報付波形信号記憶ステップは、波形計測手段により通知された波形信号を逐次取得し、前記波形信号が通知される度に、前記分割整理情報付通信電文(200a)を生成し、前記波形信号を格納することを特徴とする請求項３９〜４１の何れかに記載の通信解析方法。
【請求項４３】
前記分割整理情報付与ステップは、
前記所定の長さが時間長のとき、前記分割位置情報として、前記分割データの開始時刻及び終了時刻の情報を付与することを特徴とする請求項３９〜４２の何れかに記載の通信解析方法。
【請求項４４】
前記分割整理情報付与ステップは、
前記各分割整理情報に固有な基本ＩＤを生成し、該基本ＩＤを有する前記分割整理情報を付与することを特徴とする請求項３９〜４３の何れかに記載の通信解析方法。
【請求項４５】
前記分割整理情報は、当該分割整理情報以外の他の前記分割整理情報が有する基本ＩＤであって、前記分割データ同士が所定の関連を有する基本ＩＤが、関連ＩＤとして１個以上設定されることを特徴とする請求項３９〜４４の何れかに記載の通信解析方法。
【請求項４６】
前記分割整理情報付与ステップは、
前記所定の長さの大小に応じて、前記各分割整理情報の階層関係を定義し、
上位階層の前記分割整理情報に対応する前記分割データが、
下位階層の前記分割整理情報に対応する前記分割データを含むとき、
上位階層の前記分割整理情報と、下位階層の前記分割整理情報とが相互に参照可能な前記基本ＩＤを生成することを特徴とする請求項４４又は４５記載の通信解析方法。
【請求項４７】
前記分割整理情報付与ステップは、
下位階層の前記分割整理情報が有する基本ＩＤが、上位階層の前記分割整理情報が有する前記基本ＩＤを含むことにより、相互に参照可能であることを特徴とする請求項４６記載の通信解析方法。
【請求項４８】
前記電文通信単位分割整理情報(300a1)は、前記分割データが準じている通信規約に関する情報を有することを特徴とする請求項３９〜４７の何れかに記載の通信解析方法。
【請求項４９】
前記分割整理情報付データは、
前記原データを前記所定の長さに分割した前記分割データごとに、前記分割整理情報付与ステップにより、前記分割整理情報が付与されることを特徴とする請求項３９〜４８の何れかに記載の通信解析方法。
【請求項５０】
前記分割整理情報付データは、データ情報を有し、
前記データ情報は、前記原データを取得した時刻である原データ取得時刻情報が含まれることを特徴とする請求項３９〜４９の何れかに記載の通信解析方法。
【請求項５１】
前記データ情報は、
前記原波形信号のサンプリングレートの情報が含まれることを特徴とする請求項３９〜５０の何れかに記載の通信解析方法。
【請求項５２】
前記データが所定の長さ毎に分割され、当該データに応じた分割整理情報が付与された分割データを取得する分割データ取得ステップと、
解析条件を１つ以上取得する解析条件取得ステップと
前記分割整理情報に基づき、前記解析条件を満たす前記分割データを選出する分割データ選出ステップと、
選出された当該分割データを解析器により解析する解析ステップと、
を有する信号解析ステップを備えたことを特徴とする請求項３９〜５１の何れかに記載の通信解析方法。
【請求項５３】
前記解析ステップは、
前記分割データの解析結果の情報を、前記分割整理情報に格納することを特徴とする請求項５２記載の通信解析方法。
【請求項５４】
前記解析条件取得ステップは、
前記分割データが準じている通信規約が、前記解析器が準じている通信規約と一致するか否かの条件を、前記解析条件として取得することを特徴とする請求項５２又は５３記載の通信解析方法。
【請求項５５】
前記解析条件取得ステップは、
前記分割整理情報の前記所定の長さを定義する情報を、前記解析条件として取得することを特徴とする請求項５２〜５４の何れかに記載の通信解析方法。
【請求項５６】
前記解析ステップは、
前記データが波形信号である前記分割データを解析する波形解析器を用いて、選出された前記分割データの波形信号を解析することを特徴とする請求項５２〜５５の何れかに記載の通信解析方法。
【請求項５７】
前記解析ステップは、
前記波形信号の周波数成分を導出するフーリエ変換器、
前記波形信号のパワースペクトルを算出するスペクトル算出器、
前記波形信号の同相成分と異相成分とを算出するＩ−Ｑ算出器、
前記波形信号のＭＥＲを算出するＭＥＲ算出器、
及び前記波形信号の乱れ要因を推論する乱れ診断器の少なくとも１つにより、前記波形信号を解析することを特徴とする請求項５６記載の通信解析方法。
【請求項５８】
前記分割データ取得ステップは、
前記分割整理情報付波形信号(200b)を取得し、
前記分割データ選出ステップは、
前記分割整理情報付波形信号(200b)に付与された、前記波形通信単位分割整理情報(300b1)、又は前記波形変調単位分割整理情報(300b2)に基づき、前記解析条件を満たす前記分割整理情報付波形信号(200b)を選出し、
前記解析ステップは、
選出した当該分割整理情報付波形信号(200b)の前記分割波形信号を解析し、該解析結果を前記波形通信単位分割整理情報(300b1)、又は前記波形変調単位分割整理情報(300b2)に格納することを特徴とする請求項５６又は５７の何れかに記載の通信解析方法。
【請求項５９】
前記解析ステップは、
前記データ同期ステップにより設定された前記波形通信単位分割整理情報(300b1)の前記関連ＩＤを、前記基本ＩＤとして有する前記電文通信単位分割整理情報(300a1)の前記通信規約に関する情報を、当該波形通信単位分割整理情報(300b1)の付与された分割整理情報付波形信号(200b)の前記分割波形信号が準じている通信規約とすることを特徴とする請求項５８記載の通信解析装置。
【請求項６０】
前記信号解析ステップの前に、前記分割整理情報付与ステップを有し、
前記分割整理情報付与ステップは、
前記分割波形信号が準じている通信規約に関する情報を有する前記通信単位分割整理情報(300b1)、又は前記波形変調単位分割整理情報(300b2)を、前記分割整理情報付波形信号(200b)に付与することを特徴とする請求項５９記載の通信解析方法。
【請求項６１】
前記解析ステップは、
前記データが通信電文である前記分割データを解析する通信解析器を用いて、選出された前記分割データの通信電文を解析することを特徴とする請求項５２〜５５の何れかに記載の通信解析方法。
【請求項６２】
前記解析ステップは、
前記通信電文の送信先及び送信元アドレスを導出するアドレス解析器、及び前記通信電文のＣＲＣエラーを導出するＣＲＣエラー判定器の少なくとも１つにより、前記通信電文を解析することを特徴とする請求項６１記載の通信解析方法。
【請求項６３】
前記分割データ取得ステップは、
前記分割整理情報付通信電文(200a)を取得し、
前記分割データ選出ステップは、
前記分割整理情報付通信電文(200a)に付与された、前記電文通信単位分割整理情報(300a1)、又は前記電文変調単位分割整理情報(300a2)に基づき、前記解析条件を満たす前記分割整理情報付通信電文(200a)を選出し、
前記解析ステップは、
選出した当該分割整理情報付通信電文(200a)の前記分割通信電文を解析し、該解析結果を前記電文通信単位分割整理情報(300a1)、又は前記電文変調単位分割整理情報(300a2)に格納することを特徴とする請求項６１又は６２記載の通信解析方法。
【請求項６４】
前記信号解析ステップの後に、
前記信号解析ステップにより解析された前記分割データの解析結果を取得するステップと、
取得された前記分割データの解析結果を、１つ以上の表示用データ生成器により変換して表示用データを生成する表示用データ生成ステップと、
該表示用データを所定の個数有し、当該所定の個数に関する分割単位情報を有する、分割整理情報を付与した分割整理情報付表示用データ(200c)を生成する分割整理情報生成ステップと
を有する分割整理情報付表示用データ生成ステップを備えたことを特徴とする請求項５２〜６３の何れかに記載の通信解析方法。
【請求項６５】
前記表示用データ生成ステップは、
取得された前記分割データの前記分割整理情報に基づき、各表示用データ生成器に対応する前記分割データの解析結果を、当該表示用データ生成器により変換して前記表示用データを生成することを特徴とする請求項６４記載の通信解析方法。
【請求項６６】
前記分割整理情報生成ステップは、
前記表示用データの生成元である前記分割データに付与された前記分割整理情報が有する前記基本ＩＤを、当該表示用データの前記分割整理情報の前記関連ＩＤとして設定することを特徴とする請求項６５記載の通信解析方法。
【請求項６７】
前記分割整理情報生成ステップは、
前記分割単位が表示範囲個数である前記分割整理情報を、表示分割整理情報(300c1)として前記表示用データに付与することを特徴とする請求項６４〜６６の何れかに記載の通信解析方法。
【請求項６８】
前記分割整理情報生成ステップは、
前記分割単位が選択範囲個数である前記分割整理情報を、選択分割整理情報(300c2)として前記表示用データに付与することを特徴とする請求項６４〜６７の何れかに記載の通信解析方法。
【請求項６９】
前記データが所定の長さ毎に分割された分割データの解析結果が、表示用に変換された表示用データを記憶する表示範囲データ記憶ステップと、
前記表示用データを表示させるデータ幅である表示範囲データを指定する表示用データ指定ステップと、
指定された前記表示範囲データに対応する前記表示用データを、記憶された前記表示用データから抽出する関連表示用データ抽出ステップと、
抽出された前記表示用データのうち、所定の前記表示用データを表示する解析結果表示ステップと
を有する信号解析結果表示ステップを備えたことを特徴とする請求項３９〜６８の何れかに記載の通信解析方法。
【請求項７０】
前記表示範囲データ記憶ステップは、
前記データが通信電文又は波形信号である前記分割データの解析結果が、表示用に変換された表示用データを記憶することを特徴とする請求項６９記載の通信解析方法。
【請求項７１】
前記解析結果表示ステップは、
前記波形信号のパワースペクトルを表示するスペクトル表示手段、
前記波形信号の同相成分と異相成分とを表示するコンスタレーション表示手段、
前記波形信号のＭＥＲを表示するＭＥＲ表示手段、
及び前記波形信号の乱れ要因の推論結果を表示する乱れ要因表示手段の少なくとも１つにより、抽出された前記表示用データのうち、前記各表示手段に対応する所定の前記表示用データを表示することを特徴とする請求項６９又は７０記載の通信解析方法。
【請求項７２】
前記表示用データ指定ステップは、
前記表示範囲データに加え、前記表示用データを所定の個数選択して表示させるデータ幅である選択用データを１つ以上指定し、
前記関連表示用データ抽出ステップは、
抽出した前記表示範囲データに対応する各表示用データのうち、指定された前記選択用データに対応する前記表示用データを、記憶された前記表示用データから抽出し、
前記解析結果表示ステップは、
抽出された前記選択用データに対応する前記表示用データを、他の表示用データと識別して表示することを特徴とする請求項６９〜７１の何れかに記載の通信解析方法。
【請求項７３】
前記表示範囲データ記憶ステップは、
前記分割整理情報付表示用データ(200c)を、前記表示用データとして１つ以上記憶し、
前記表示用データ指定ステップは、
前記分割整理情報付表示用データ(200c)に付与された、前記表示分割整理情報(300c1)が有する表示範囲個数を、前記表示範囲データとして指定し、
前記分割整理情報付表示用データ(200c)に付与された、前記選択分割整理情報(300c2)が有する選択範囲個数を、前記選択データとして指定し、
前記関連表示用データ抽出ステップは、
指定された前記表示範囲データに対応する前記表示分割整理情報(300c1)が有する前記関連ＩＤと同じ前記関連ＩＤを有する、別の前記表示分割整理情報(300c1)が有する前記表示用データを抽出し、
指定された前記選択データに対応する前記選択分割整理情報(300c2)が有する前記関連ＩＤと同じ前記関連ＩＤを有する、別の前記選択分割整理情報(300c2)が有する前記関連データを抽出することを特徴とする請求項７２記載の通信解析方法。
【請求項７４】
通信ネットワークの伝送路から取得したデータの解析を行う通信解析方法において、
請求項４９〜５１の何れかに記載の分割整理情報付与ステップと、
請求項４９〜５１の何れかに記載の分割整理情報付データ生成ステップと、
請求項４９〜５１の何れかに記載のデータ同期ステップと、
請求項５２〜６８の何れかに記載の信号解析ステップと、
請求項６９〜７３の何れかに記載の信号解析結果表示ステップと
を有することを特徴とする通信解析方法。
【請求項７５】
前記通信ネットワークが、住宅内通信、電力線通信、無線通信信号、又は制御機器間通信であることを特徴とする請求項７４記載の通信解析方法。
【請求項７６】
前記制御機器が空調機器であることを特徴とする請求項７５記載の通信解析方法。
【発明の詳細な説明】
【技術分野】
【０００１】
この発明は、ネットワークの伝送障害の解析を支援する通信解析装置および通信解析方法に関する。
【背景技術】
【０００２】
ネットワーク伝送障害は、伝送路を流れる波形信号の形状が何らかの要因で乱され、命令送信元が意図した信号を命令送信先まで維持できなくなるために発生する。よって伝送障害に対する診断作業として、ネットワーク物理層レベルの解析が求められる。
【０００３】
波形信号解析の従来技術としては、通信シーケンスと物理量とを関連付けて提示することにより、通信解析を容易にすることを目的としたものとして、例えば「表示手段１０８は、前記シーケンスログ表示と、前記パワーログ情報から通信の有無を識別可能に示したパワーログ表示９とを時系列に並べて表示する」通信試験装置が提案されている（例えば、特許文献１参照）。
【０００４】
また、解析結果の表示について、パラメータを適宜調整することにより、通信妨害波を検知することを目的としたものとして、例えば「しきい値設定部３７は、記憶された変調誤差比のうち、妨害波の干渉を受けると予想される干渉帯域に含まれないサブキャリアの変調誤差比に基づいて、妨害波の有無を判定するためのしきい値Ｒを求め、判定部３８は、このしきい値Ｒと干渉帯域に含まれるサブキャリアの変調誤差比とを比較して妨害波があるか否かを判定し、その判定結果を表示する」デジタル変調信号評価装置が提案されている（例えば、特許文献２参照）。
【０００５】
【特許文献１】特開２００６−３３００７号公報（請求項４）
【特許文献２】特開２００５−３１１５７０号公報（要約）
【発明の開示】
【発明が解決しようとする課題】
【０００６】
従来の障害解析においては、通信電文を解析する装置と波形信号を解析する装置とが別々であったため、通信電文と波形信号とを関連付けて障害を解析することは容易ではなく、作業負担が大きくなる、という問題点があった。
また波形信号の解析手法は、パワースペクトル解析、コンスタレーション解析、またはＭＥＲ（Ｍｏｄｕｌａｔｉｏｎ  Ｅｒｒｏｒ  Ｒａｔｉｏ）解析など複数存在するが、従来装置では各々の解析機能は独立したものであり、解析結果間の関連を読み取ることが困難である、という問題点があった。
【０００７】
この発明は上述のような課題を解決するためになされたもので、通信電文と波形信号とを関連付けて解析することができる通信解析装置および通信解析方法を得ることを目的とする。
【課題を解決するための手段】
【０００８】
本発明に係る通信解析装置は、通信ネットワークの伝送路から取得したデータの解析を行う通信解析装置において、前記データが所定の長さ毎に分割された複数の分割データに、前記所定の長さを定義する分割単位情報と、前記データにおける前記分割データの開始位置及び終了位置に関する情報である分割位置情報とを有する分割整理情報を付与する分割整理情報付与手段と、前記データを原データとして有する分割整理情報付データを生成する分割整理情報付データ生成手段と、データ同期手段とを備え、前記分割整理情報付与手段は、前記分割データが通信電文である場合、前記分割単位情報が通信単位である前記分割整理情報を、電文通信単位分割整理情報(300a1)として前記分割データに付与し、前記分割単位情報が変調単位である前記分割整理情報を、電文変調単位分割整理情報(300a2)として前記分割データに付与し、前記分割整理情報付データ生成手段は、前記原データが原通信電文であり、前記分割データが分割通信電文である前記分割整理情報付データを、分割整理情報付通信電文(200a)として生成し、前記分割整理情報付通信電文(200a)には、前記電文通信単位分割整理情報(300a1)及び／又は前記電文変調単位分割整理情報(300a2)が、前記分割整理情報として付与され、前記分割整理情報付与手段は、前記分割データが波形信号である場合、前記分割単位が通信単位である前記分割整理情報を、波形通信単位分割整理情報(300b1)として前記分割データに付与し、前記分割単位が変調単位である前記分割整理情報を、波形変調単位分割整理情報(300b2)として前記分割データに付与し、前記分割整理情報付データ生成手段は、前記原データが原波形信号であり、前記分割データが分割波形信号である前記分割整理情報付データを、分割整理情報付波形信号(200b)として生成し、前記分割整理情報付波形信号(200b)には、前記波形通信単位分割整理情報(300b1)及び／又は前記波形変調単位分割整理情報(300b2)が、前記分割整理情報として付与され、前記データ同期手段は、前記電文通信単位分割整理情報(300a1)が付与された、前記分割整理情報付通信電文(200a)を１つ以上記憶する分割整理情報付通信電文記憶手段(103)と、前記波形通信単位分割整理情報(300b1)が付与された、前記分割整理情報付波形信号(200b)を１つ以上記憶する分割整理情報付波形信号記憶手段(104)と、同期判定条件を１つ以上有する同期判定手段とを有し、前記同期判定手段は、前記電文通信単位分割整理情報(300a1)と、前記波形通信単位分割整理情報(300b1)とが、前記同期判定条件を満たすとき、当該電文通信単位分割整理情報(300a1)が有する関連ＩＤに、当該波形通信単位分割整理情報(300b1)が有する基本ＩＤを設定し、当該波形通信単位分割整理情報(300b1)が有する関連ＩＤに、当該電文通信単位分割整理情報(300a1)が有する基本ＩＤを設定するものである。
【発明の効果】
【０００９】
本発明は、データが所定の長さ毎に分割された複数の分割データに、分割単位情報と分割位置情報とを有する分割整理情報を付与するすることにより、通信電文と波形信号とを関連付けて解析することができる。
【発明を実施するための最良の形態】
【００１０】
実施の形態１．
図１は本発明の実施の形態１に係る通信解析装置１００の構成を示す図である。図１に示すように、通信ネットワークの伝送路から取得したデータの解析を行う通信解析装置１００は、通信手段１０１と、波形計測手段１０２と、分割整理情報付通信電文記憶手段１０３と、分割整理情報付波形信号記憶手段１０４と、通信単位分割整理情報付与手段１０５と、通信単位同期判定手段１０６と、変調単位分割整理情報付与手段１０７と、変調単位同期判定手段１０８と、通信解析手段１０９と、波形解析手段１１０と、分割整理情報付表示用データ生成手段１１１と、分割整理情報付表示用データ記憶手段１１２と、表示用データ指定手段１１３と、関連ＩＤ表示用データ抽出手段１１４と、１つ以上の解析結果表示手段１１５とを有する。
【００１１】
尚、通信ネットワークとしては、住宅内通信、電力線通信、無線通信信号、または制御機器間通信など、任意のネットワークを用いることが可能である。また、制御機器間通信では、制御機器に空調機器を用いるようにしても良い。また、ネットワークの伝送路は有線または無線の何れでも良い。
【００１２】
尚、通信単位分割整理情報付与手段１０５、または変調単位分割整理情報付与手段１０７は、本発明における分割整理情報付与手段に相当する。
また、分割整理情報付通信電文記憶手段１０３、または分割整理情報付波形信号記憶手段１０４は、本発明における分割整理情報付データ生成手段に相当する。
また、通信単位同期判定手段１０６、または変調単位同期判定手段１０８は、本発明における同期判定手段に相当する。
また、分割整理情報付通信電文記憶手段１０３、分割整理情報付波形信号記憶手段１０４、および通信単位同期判定手段１０６若しくは変調単位同期判定手段１０８は、本発明におけるデータ同期手段に相当する。
また、通信解析手段１０９、または波形解析手段１１０は、本発明における信号解析手段に相当する。
また、分割整理情報付表示用データ記憶手段１１２は、本発明における表示範囲データ記憶手段に相当する。
また、関連ＩＤ表示用データ抽出手段１１４は、本発明における関連表示用データ抽出手段に相当する。
また、分割整理情報付表示用データ記憶手段１１２、表示用データ指定手段１１３、関連ＩＤ表示用データ抽出手段１１４、および解析結果表示手段１１５は、本発明における信号解析結果表示手段に相当する。
【００１３】
分割整理情報付通信電文記憶手段１０３は、１つ以上の分割整理情報付通信電文２００ａを記憶する。
分割整理情報付波形信号記憶手段１０４は、１つ以上の分割整理情報付波形信号２００ｂを記憶する。
通信単位同期判定手段１０６は、通信単位同期判定条件１０６１を有する。
変調単位同期判定手段１０８は、変調単位同期判定条件１０８１を有する。
【００１４】
通信解析手段１０９は、１つ以上の通信解析器１０９１を有する。この通信解析器１０９１は、通信解析器ラベル１０９１１と、通信解析対象１０９１２と、通信解析単位１０９１３とを有する。尚、通信解析器１０９１としては、例えば通信電文の送信先および送信元アドレスを導出するアドレス解析器、または通信電文のＣＲＣエラーを導出するＣＲＣエラー判定器など、任意の解析器であってよい。
【００１５】
波形解析手段１１０は、１つ以上の波形解析器１１０１を有する。この波形解析器１１０１は、波形解析器ラベル１１０１１と、波形解析対象１１０１２と、波形解析単位１１０１３とを有する。尚、波形解析器１１０１としては、例えば、波形信号の周波数成分を導出するフーリエ変換器、波形信号の同相成分と異相成分とを導出するＩ−Ｑ算出器、同相成分と異相成分の乱れ量を導出するＭＥＲ算出器、波形信号の乱れ要因を推論する乱れ診断器、または波形信号のパワースペクトルを算出するスペクトル算出器など、任意の解析器であってよい。
【００１６】
分割整理情報付表示用データ生成手段１１１は、１つ以上の表示用データ生成器１１１１を有する。この表示用データ生成器１１１１は、表示用データラベル１１１１１と、生成対象１１１１２と、生成単位１１１１３とを有する。
分割整理情報付表示用データ記憶手段１１２は、１つ以上の分割整理情報付表示用データ２００ｃを記憶する。
【００１７】
解析結果表示手段１１５は、例えば、波形信号のパワースペクトルを表示するスペクトル表示手段、波形信号の同相成分と異相成分とを表示するコンスタレーション表示手段、波形信号のＭＥＲを表示するＭＥＲ表示手段、または波形信号の乱れ要因の推論結果を表示する乱れ要因表示手段など、任意の表示手段であってよい。
【００１８】
図２は本発明の実施の形態１に係る分割整理情報付計測データ２００の構成を示す図である。図２に示すように、分割整理情報付計測データ２００は、分割整理情報３００を０個以上有し、計測データ２０１を１つ以上有し、データ情報である計測データ情報２０２を０個以上有し、分割整理情報処理フラグ２０３を０個以上有する。
【００１９】
図３は本発明の実施の形態１に係る分割整理情報３００の構成を示す図である。図３に示すように、分割整理情報３００は、基本情報３０１と、関連情報３０２と、解析情報３０３とを有する。
基本情報３０１は、分割単位情報である分割単位３０１１と、基本ＩＤ３０１２と、分割位置３０１３と、分割位置情報である分割時刻３０１４と、計測データ種類３０１５とを有する。
関連情報３０２は、関連ＩＤ３０２１を０個以上有する。
解析情報３０３は、解析ラベル３０３１と解析値３０３２との組を０個以上有する。
【００２０】
上述した分割整理情報付通信電文２００ａ、分割整理情報付波形信号２００ｂ、および分割整理情報付表示用データ２００ｃの構成は、分割整理情報付計測データ２００の構成に倣う。
【００２１】
すなわち、分割整理情報付通信電文２００ａは、通信単位を分割単位３０１１とする電文通信単位分割整理情報３００ａ１と、変調単位を分割単位３０１１とする電文変調単位分割整理情報３００ａ２とを、分割整理情報３００として有する。
また、計測データ２０１として、通信電文２０１ａを有する。
また、計測データ情報２０２として、電文取得時刻２０２ａ１を有する。
また、分割整理情報処理フラグ２０３として、通信単位抽出フラグ２０３ａ１と、通信単位同期判定フラグ２０３ａ２と、変調単位抽出フラグ２０３ａ３と、変調単位同期判定フラグ２０３ａ４と、通信解析フラグ２０３ａ５とを有する。
なお、各情報を生成する動作については後述する。
【００２２】
また、分割整理情報付波形信号２００ｂは、通信単位を分割単位３０１１とする波形通信単位分割整理情報３００ｂ１と、変調単位を分割単位３０１１とする波形変調単位分割整理情報３００ｂ２とを、分割整理情報３００として有する。
また、計測データ２０１として、波形信号２０１ｂを有する。
また、計測データ情報２０２として、波形取得時刻２０２ｂ１と、サンプリングレート２０２ｂ２とを有する。
また、分割整理情報処理フラグ２０３として、通信単位抽出フラグ２０３ｂ１と、通信単位同期判定フラグ２０３ｂ２と、変調単位抽出フラグ２０３ｂ３と、変調単位同期判定フラグ２０３ｂ４と、波形解析フラグ２０３ｂ５とを有する。
なお、各情報を生成する動作については後述する。
【００２３】
なお、上記各フラグは後述の動作で、通信単位分割整理情報付与手段１０５、通信単位同期判定手段１０６、変調単位分割整理情報付与手段１０７、変調単位同期判定手段１０８、通信解析手段１０９、および波形解析手段１１０により立てられる。
【００２４】
また、分割整理情報付表示用データ２００ｃは、表示範囲個数（後述）を分割単位３０１１とする表示分割整理情報３００ｃ１と、選択範囲個数（後述）を分割単位３０１１とする選択分割整理情報３００ｃ２とを、分割整理情報３００として有する。
また、計測データ２０１として、表示用データ２０１ｃを有する。
また、計測データ情報２０２として、表示用データラベル１１１１１と、生成対象範囲２０２ｃ２とを有する。
【００２５】
次に、通信解析装置１００の動作について説明する。
本実施の形態における通信解析装置１００が実施する処理は、大まかに三つの手順に分けられる。計測手順１Ａ、解析・同期手順１Ｂ、解析結果表示手順１Ｃである。以下では上記手順１Ａから手順１Ｃについて説明する。
【００２６】
まず、計測手順１Ａについて説明する。
通信手段１０１は、有線あるいは無線の伝送路に接続され、当該伝送路上に接続されている機器が送受信する通信電文２０１ａを逐次取得し、この通信電文２０１ａを取得した時刻を表す原計測データ取得時刻情報である電文取得時刻２０２ａ１を記録し、通信電文２０１ａと電文取得時刻２０２ａ１とを分割整理情報付通信電文記憶手段１０３に通知する。
【００２７】
なお、通信手段１０１を１つ以上有し、各々の通信手段１０１が通信規約の異なる通信電文２０１ａを取得してもよい。
【００２８】
波形計測手段１０２は、有線あるいは無線の伝送路に接続され、当該伝送路上に接続されている機器が送受信する波形信号２０１ｂを逐次任意のサンプリングレート２０２ｂ２により取得し、この波形信号２０１ｂを取得した時刻を表す原計測データ取得時刻情報である波形取得時刻２０２ｂ１を記録し、波形信号２０１ｂと波形取得時刻２０２ｂ１とサンプリングレート２０２ｂ２とを分割整理情報付波形信号記憶手段１０４に通知する。
【００２９】
なお、波形計測手段１０２を１つ以上有し、各々の波形計測手段１０２がサンプリングレート２０２ｂ２の異なる波形信号２０１ｂを取得してもよい。
【００３０】
分割整理情報付通信電文記憶手段１０３は、通信手段１０１から分割計測データである通信電文２０１ａが通知される度に、分割整理情報付通信電文２００ａを新規に生成し、通信電文２０１ａを計測データ２０１として格納し、電文取得時刻２０２ａ１を計測データ情報２０２として格納し、分割整理情報付通信電文２００ａを記憶する。
【００３１】
分割整理情報付波形信号記憶手段１０４は、波形計測手段１０２から分割計測データである波形信号２０１ｂが通知される度に、分割整理情報付波形信号２００ｂを新規に生成し、波形信号２０１ｂを計測データ２０１として格納し、波形取得時刻２０２ｂ１およびサンプリングレート２０２ｂ２を計測データ情報２０２として格納し、分割整理情報付波形信号２００ｂを記憶する。
【００３２】
図４は本発明の実施の形態１に係る解析・同期手順１Ｂの動作を示す図、図５は本発明の実施の形態１に係る分割整理情報３００を用いた通信電文２０１ａと波形信号２０１ｂとの関連付け方法を示す図である。
以下、解析・同期手順１Ｂについて説明する。
【００３３】
分割整理情報付通信電文記憶手段１０３は、記憶した分割整理情報付通信電文２００ａのうち、通信単位抽出フラグ２０３ａ１が立っていないものを通信単位分割整理情報付与手段１０５に通知する。
また、通信単位抽出フラグ２０３ａ１が立っており、且つ、通信単位同期判定フラグ２０３ａ２が立っていないものを通信単位同期判定手段１０６に通知する。
また、通信単位同期判定フラグ２０３ａ２が立っており、且つ、変調単位抽出フラグ２０３ａ３が立っていないものを変調単位分割整理情報付与手段１０７に通知する。
また、変調単位抽出フラグ２０３ａ３が立っており、且つ、変調単位同期判定フラグ２０３ａ４が立っていないものを変調単位同期判定手段１０８に通知する。
また、変調単位同期判定フラグ２０３ａ４が立っており、且つ、通信解析フラグ２０３ａ５が立っていないものを通信解析手段１０９に通知する。
なお、後述する動作により上記フラグが立てられたときは、その都度、該当する上記手段に分割整理情報付通信電文２００ａが通知されるものとする。
【００３４】
分割整理情報付波形信号記憶手段１０４は、記憶した分割整理情報付波形信号２００ｂのうち、通信単位抽出フラグ２０３ｂ１が立っていないものを通信単位分割整理情報付与手段１０５に通知する。
また、通信単位抽出フラグ２０３ｂ１が立っており、且つ、通信単位同期判定フラグ２０３ｂ２が立っていないものを通信単位同期判定手段１０６に通知する。
また、通信単位同期判定フラグ２０３ｂ２が立っており、且つ、変調単位抽出フラグ２０３ｂ３が立っていないものを変調単位分割整理情報付与手段１０７に通知する。
また、変調単位抽出フラグ２０３ｂ３が立っており、且つ、変調単位同期判定フラグ２０３ｂ４が立っていないものを変調単位同期判定手段１０８に通知する。
また、変調単位同期判定フラグ２０３ｂ４が立っており、且つ、波形解析フラグ２０３ｂ５が立っていないものを波形解析手段１１０に通知する。
なお、後述する動作により上記フラグが立てられたときは、その都度、該当する上記手段に分割整理情報付通信電文２００ａが通知されるものとする。
【００３５】
通信単位分割整理情報付与手段１０５は、通知された分割整理情報付通信電文２００ａが有する通信単位抽出フラグ２０３ａ１を立て、通信電文２０１ａに含まれる通信単位の開始位置と終了位置、および通信電文２０１ａが準ずる通信規約を導出する。
そして、この開始位置と終了位置とが導出される度に、電文通信単位分割整理情報３００ａ１を生成し、基本情報３０１を格納する。
すなわち、当該電文通信単位分割整理情報３００ａ１に固有なＩＤ（Ｉｄｅｎｔｉｆｉｃａｔｉｏｎ）である基本ＩＤ３０１２を生成し、電文取得時刻２０２ａ１に基づき、開始位置に対応する開始時刻と、終了位置に対応する終了時刻とを導出する。
そして基本情報３０１の分割単位３０１１を通信単位とし、生成した基本ＩＤ３０１２を格納し、導出した開始位置と終了位置とを分割位置３０１３に格納し、導出した開始時刻と終了時刻とを分割時刻３０１４に格納し、導出した通信規約を計測データ種類３０１５に格納する。
【００３６】
なお、開始位置と終了位置は通信電文２０１ａの休止時間より導出してもよいし、スタートビットとストップビットの抽出により導出してもよい。
また、通信規約は、通信単位分割整理情報付与手段１０５が通信電文ヘッダフォーマットと通信規約とを関連付けるテーブルを有し、テーブルにより導出してもよいし、通信手段１０１を通信規約ごとに有し、通信電文２０１ａの通知元となった通信手段１０１を判別することにより導出してもよい。
【００３７】
また、通信単位分割整理情報付与手段１０５は、通知された分割整理情報付波形信号２００ｂが有する通信単位抽出フラグ２０３ｂ１を立て、波形信号２０１ｂより通信単位の開始位置と終了位置を導出する。
そして、この開始位置と終了位置とが抽出される度に、波形通信単位分割整理情報３００ｂ１を生成し、波形通信単位分割整理情報３００ｂ１が有する基本情報３０１を格納する。
すなわち、当該波形通信単位分割整理情報３００ｂ１に固有な基本ＩＤ３０１２を生成し、波形取得時刻２０２ｂ１とサンプリングレート２０２ｂ２とに基づき、開始位置に対応する開始時刻と、終了位置に対応する終了時刻とを導出する。
そして基本情報３０１の分割単位３０１１を通信単位とし、生成した基本ＩＤ３０１２を格納し、導出した開始位置と終了位置とを分割位置３０１３に格納し、導出した開始時刻と終了時刻とを分割時刻３０１４に格納する。
【００３８】
なお、開始位置と終了位置は、通信単位分割整理情報付与手段１０５がレベル閾値を有し、波形信号２０１ｂのレベルとレベル閾値との比較により導出してもよいし、通信単位分割整理情報付与手段１０５がレベル変化量閾値を有し、波形信号２０１ｂのレベル変化量とレベル変化量閾値との比較により導出してもよい。
【００３９】
通信単位同期判定手段１０６は、通知された分割整理情報付通信電文２００ａが有する電文通信単位分割整理情報３００ａ１と、通知された分割整理情報付波形信号２００ｂが有する波形通信単位分割整理情報３００ｂ１とを１つずつ抽出して組を作る。
そして、この抽出した電文通信単位分割整理情報３００ａ１および波形通信単位分割整理情報３００ｂ１が有する分割時刻３０１４が、後述する通信単位同期判定条件１０６１を満たすとき、図５に示すように、互いが有する基本ＩＤ３０１２を相手側の関連ＩＤ３０２１に格納する。
また、分割整理情報付通信電文２００ａが有する通信単位同期判定フラグ２０３ａ２および分割整理情報付波形信号２００ｂが有する通信単位同期判定フラグ２０３ｂ２を立てる。
通信単位同期判定手段１０６は、この処理を電文通信単位分割整理情報３００ａ１と波形通信単位分割整理情報３００ｂ１との全ての組について繰り返す。
【００４０】
上記通信単位同期判定条件１０６１は、例えば「当該分割時刻３０１４の差分が閾値以下である」でもよいし、「当該分割時刻３０１４の差分にオフセットを加えた値が閾値以下である」でもよい。
また閾値は一定値でもよいし、分割整理情報付通信電文２００ａが有する通信規約ごとに異なる値を設定してもよい。
【００４１】
変調単位分割整理情報付与手段１０７は、通知された分割整理情報付通信電文２００ａが有する変調単位抽出フラグ２０３ａ３を立てる。
そして、通信電文２０１ａに含まれる変調単位の開始位置と終了位置、および開始時刻と終了時刻を、電文通信単位分割整理情報３００ａ１が有する計測データ種類３０１５と、分割位置３０１３と、分割時刻３０１４とに基づき導出する。
【００４２】
導出に成功したとき、電文変調単位分割整理情報３００ａ２を生成し、基本情報３０１を格納する。
すなわち、電文変調単位分割整理情報３００ａ２に固有な基本ＩＤ３０１２を生成して格納し、開始位置と終了位置とを分割位置３０１３に格納し、開始時刻と終了時刻とを分割時刻３０１４に格納する。
また、電文変調単位分割整理情報３００ａ２が有する分割位置３０１３が、電文通信単位分割整理情報３００ａ１が有する分割位置３０１３に含まれるとき、電文変調単位分割整理情報３００ａ２が有する計測データ種類３０１５に、電文通信単位分割整理情報３００ａ１が有する計測データ種類３０１５をコピーし、電文変調単位分割整理情報３００ａ２の基本ＩＤ３０１２は、電文通信単位分割整理情報３００ａ１の基本ＩＤ３０１２と相互参照が可能なＩＤとする。
【００４３】
なお、上記の相互参照が可能なＩＤは、図５に示すように、例えば基本ＩＤ３０１２を階層的ＩＤとし、電文変調単位分割整理情報３００ａ２が有する基本ＩＤ３０１２が、電文通信単位分割整理情報３００ａ１が有する基本ＩＤ３０１２を含む事により実現してもよいし、また例えば基本ＩＤ３０１２が分割単位３０１１ごとに固有の桁を有する数値であって、電文通信単位分割整理情報３００ａ１が有する基本ＩＤ３０１２と、電文変調単位分割整理情報３００ａ２が有する基本ＩＤ３０１２とに、分割単位３０１１が通信単位である桁に同じ値を与えることにより実現してもよい。
【００４４】
また、変調単位分割整理情報付与手段１０７は、通知された分割整理情報付波形信号２００ｂが有する変調単位抽出フラグ２０３ｂ３を立てる。
そして、分割整理情報付波形信号２００ｂが有する波形通信単位分割整理情報３００ｂ１のうち、関連ＩＤ３０２１を有するものについて、波形信号２０１ｂに含まれる変調単位の開始位置と終了位置、および開始時刻と終了時刻を、関連ＩＤ３０２１に格納された基本ＩＤ３０１２を有する電文通信単位分割整理情報３００ａ１の計測データ種類３０１５と、当該波形通信単位分割整理情報３００ｂ１が有する分割位置３０１３および分割時刻３０１４に基づき導出する。
【００４５】
導出に成功したとき、波形変調単位分割整理情報３００ｂ２を生成し、基本情報３０１を格納する。
すなわち、波形変調単位分割整理情報３００ｂ２に固有な基本ＩＤ３０１２を生成して格納し、開始位置と終了位置とを分割位置３０１３に格納し、開始時刻と終了時刻とを分割時刻３０１４に格納する。
さらに、波形変調単位分割整理情報３００ｂ２が有する分割位置が、波形通信単位分割整理情報３００ｂ１が有する分割位置に含まれるとき、波形変調単位分割整理情報３００ｂ２の基本ＩＤ３０１２は、波形通信単位分割整理情報３００ｂ１の基本ＩＤ３０１２と相互参照が可能なＩＤとする。
【００４６】
なお、上記の相互参照が可能なＩＤは、図５に示すように、例えば基本ＩＤ３０１２を階層的ＩＤとし、波形変調単位分割整理情報３００ｂ２が有する基本ＩＤ３０１２が、波形通信単位分割整理情報３００ｂ１が有する基本ＩＤ３０１２を含む事により実現してもよいし、また例えば基本ＩＤ３０１２が分割単位ごとに固有の桁を有する数値であって、波形通信単位分割整理情報３００ｂ１が有する基本ＩＤ３０１２と、波形変調単位分割整理情報３００ｂ２が有する基本ＩＤ３０１２とに、分割単位が通信単位である桁に同じ値を与えることにより実現してもよい。
【００４７】
変調単位同期判定手段１０８は、通知された分割整理情報付通信電文２００ａが有する電文通信単位分割整理情報３００ａ１について、当該電文通信単位分割整理情報３００ａ１の基本ＩＤ３０１２が、関連ＩＤ３０２１として格納された波形通信単位分割整理情報３００ｂ１を、通知された分割整理情報付波形信号２００ｂから、抽出する。
【００４８】
抽出に成功したとき、当該電文通信単位分割整理情報３００ａ１から参照可能な電文変調単位分割整理情報３００ａ２と、抽出した波形通信単位分割整理情報３００ｂ１から参照可能な波形変調単位分割整理情報３００ｂ２とを１つずつ抽出して組を作る。
そして、この組を作った電文変調単位分割整理情報３００ａ２および波形変調単位分割整理情報３００ｂ２が有する分割時刻３０１４が、後述する変調単位同期判定条件１０８１を満たすとき、図５に示すように、互いが有する基本ＩＤ３０１２を相手側の関連ＩＤ３０２１に格納し、分割整理情報付通信電文２００ａが有する変調単位同期判定フラグ２０３ａ４、および分割整理情報付波形信号２００ｂが有する変調単位同期判定フラグ２０３ｂ４を立てる。
変調単位同期判定手段１０８は、この処理を全ての電文通信単位分割整理情報３００ａ１について繰り返す。
【００４９】
上記変調単位同期判定条件１０８１は、「当該分割時刻３０１４の差分が閾値以下である」でもよいし、「当該分割時刻３０１４の差分にオフセットを加えた値が閾値以下である」でもよい。
また、閾値は一定値でもよいし、電文通信単位分割整理情報３００ａ１が有する計測データ種類３０１５ごとに異なる値を設定してもよい。
【００５０】
通信解析手段１０９は、通知された分割整理情報付通信電文２００ａが有する通信解析フラグ２０３ａ５を立て、通信解析手段１０９が有する通信解析器１０９１の全てについて次の処理を行う。
なお、通信解析器１０９１の通信解析器ラベル１０９１１は、当該通信解析器１０９１固有のラベルであり、通信解析対象１０９１２は、当該通信解析器１０９１の通信規約が格納されている。
【００５１】
通信解析手段１０９は、通信解析器１０９１が有する通信解析対象１０９１２と、通知された分割整理情報付通信電文２００ａの電文通信単位分割整理情報３００ａ１が有する計測データ種類３０１５とが一致するとき、当該電文通信単位分割整理情報３００ａ１の分割位置３０１３が示す範囲の通信電文２０１ａを、通信解析器１０９１に入力する。
そして、通信解析器１０９１の出力結果を、当該電文通信単位分割整理情報３００ａ１の解析値３０３２に格納し、当該通信解析器１０９１が有する固有の通信解析器ラベル１０９２１を、当該電文通信単位分割整理情報３００ａ１の解析ラベル３０３１に格納する。
【００５２】
波形解析手段１１０は、通知された分割整理情報付波形信号２００ｂが有する波形解析フラグ２０３ｂ５を立て、波形解析手段１１０が有する波形解析器１１０１の全てについて次の処理を行う。
なお、波形解析器１１０１の波形解析器ラベル１１０１１は、当該波形解析器１１０１固有のラベルであり、波形解析対象１１０１２は、当該波形解析器１１０１の通信規約が格納されている。さらに、波形解析単位１１０１３は、当該波形解析器１１０１の解析単位が通信単位であるか変調範囲であるかの情報が格納されている。
【００５３】
当該分割整理情報付波形信号２００ｂが有する波形通信単位分割整理情報３００ｂ１のうち、関連ＩＤ３０２１を有し、且つ、関連ＩＤ３０２１に格納された基本ＩＤ３０１２を有する電文通信単位分割整理情報３００ａ１の計測データ種類３０１５と、波形解析器１１０１が有する波形解析対象１１０１２とが一致するものを抽出する。
【００５４】
上記波形解析器１１０１が有する波形解析単位１１０１３が通信単位であるとき、波形通信単位分割整理情報３００ｂ１が有する分割位置３０１３が示す範囲の波形信号２０１ｂを、選出した波形解析器１１０１に入力する。
そして、波形解析器１１０１の出力結果を、波形通信単位分割整理情報３００ｂ１の解析値３０３２に格納し、波形解析器１１０１が有する波形解析器ラベル１１０１１を、解析ラベル３０３１に格納する。
【００５５】
一方、上記波形解析器が有する波形解析単位１１０１３が変調単位であるとき、波形通信単位分割整理情報３００ｂ１から参照可能な波形変調単位分割整理情報３００ｂ２の全てについて、波形変調単位分割整理情報３００ｂ２が有する分割位置３０１３が示す範囲の波形信号２０１ｂを、選出した波形解析器１１０１に入力する。
そして、波形解析器１１０１の出力結果を、波形変調単位分割整理情報３００ｂ２の解析値３０３２に格納し、波形解析器１１０１が有する波形解析器ラベル１１０１１を、解析ラベル３０３１に格納する。
【００５６】
次に、解析結果表示手順１Ｃについて説明する。
分割整理情報付表示用データ生成手段１１１は、後述する生成対象範囲２０２ｃ２が指定される度に、当該分割整理情報付表示用データ生成手段１１１が有する表示用データ生成器１１１１の全てについて、分割整理情報付表示用データ２００ｃを生成し、表示用データ生成器１１１１が有する表示用データラベル１１１１１および生成対象範囲２０２ｃ２を計測データ情報２０２として、分割整理情報付表示用データ２００ｃに格納する。
【００５７】
なお、分割整理情報付表示用データ生成手段１１１は、少なくとも上記通信解析器１０９１および波形解析器１１０１ごとに表示用データ生成器１１１１を有し、波形解析器１１０１の表示用データラベル１１１１１は、当該表示用データ生成器１１１１固有のラベルであり、生成対象１１１１２には、当該表示用データ生成器１１１１が変換可能な解析値３０３２に対応する解析ラベル３０３１の情報が格納され、生成単位１１１１３には、当該表示用データ生成器１１１１が変換可能な分割単位３０１１が通信単位であるか変調範囲であるかの情報が格納されている。
【００５８】
さらに分割整理情報付表示用データ生成手段１１１は、生成対象範囲２０２ｃ２に含まれ、且つ、通信解析フラグ２０３ａ５が立っている分割整理情報付通信電文２００ａを、分割整理情報付通信電文記憶手段１０３より抽出する。
そして、抽出した当該分割整理情報付通信電文２００ａが有する電文通信単位分割整理情報３００ａ１および電文変調単位分割整理情報３００ａ２を抽出する。
また、抽出した分割整理情報付通信電文２００ａが有する電文通信単位分割整理情報３００ａ１の、関連ＩＤ３０２１に格納された基本ＩＤ３０１２が示す波形通信単位分割整理情報３００ｂ１と、抽出した分割整理情報付通信電文２００ａが有する電文変調単位分割整理情報３００ａ２の、関連ＩＤ３０２１に格納された基本ＩＤ３０１２が示す波形変調単位分割整理情報３００ｂ２とを、分割整理情報付波形信号記憶手段１０４から抽出する。
この抽出した、電文通信単位分割整理情報３００ａ１、電文変調単位分割整理情報３００ａ２、波形通信単位分割整理情報３００ｂ１、および波形変調単位分割整理情報３００ｂ２（以下、総称して「抽出した分割整理情報３００」という。）の全てについて、以下の処理を行う。
【００５９】
分割整理情報付表示用データ生成手段１１１は、抽出した分割整理情報３００の分割単位３０１１と一致する生成単位１１１１３を有し、且つ、抽出した分割整理情報３００の解析ラベル３０３１と一致する生成対象１１１１２を有する表示用データ生成器１１１１に、当該分割整理情報３００を入力する。
【００６０】
表示用データ生成器１１１１は、入力された分割整理情報３００が有する解析ラベル３０３１に対応する解析値３０３２を変換し、表示用データ２０１ｃを生成する。そして、当該表示用データ生成器１１１１の表示用データラベル１１１１１を有する分割整理情報付表示用データ２００ｃに、生成した表示用データ２０１ｃを計測データ２０１として格納する。
【００６１】
表示用データ２０１ｃが、後述する表示範囲個数だけ分割整理情報付表示用データ２００ｃに格納される度に、表示範囲個数を分割単位３０１１とする表示分割整理情報３００ｃ１を、分割整理情報付表示用データ２００ｃに生成する。そしてこの表示分割整理情報３００ｃ１に固有な基本ＩＤ３０１２を生成して格納し、開始位置と終了位置とを分割位置３０１３に格納し、当該表示用データ２０１ｃの生成元である入力された分割整理情報３００が有する基本ＩＤ３０１２の全てを、関連ＩＤ３０２１に格納する。
【００６２】
また、表示用データ２０１ｃが、後述する選択範囲個数だけ分割整理情報付表示用データ２００ｃに格納される度に、選択範囲個数を分割単位３０１１とする選択分割整理情報３００ｃ２を、分割整理情報付表示用データ２００ｃに生成する。そしてこの選択分割整理情報３００ｃ２に固有な基本ＩＤ３０１２を生成して格納し、開始位置と終了位置とを分割位置３０１３に格納し、当該選択用データの生成元である入力された分割整理情報３００が有する基本ＩＤ３０１２の全てを、関連ＩＤ３０２１に格納する。
【００６３】
さらに、選択分割整理情報３００ｃ２が有する分割位置３０１３が、表示分割整理情報３００ｃ１が有する分割位置３０１３に含まれるとき、選択分割整理情報３００ｃ２の基本ＩＤ３０１２は、表示分割整理情報３００ｃ１の基本ＩＤ３０１２と相互参照が可能なＩＤとする。
【００６４】
なお、上記の相互参照が可能なＩＤは、基本ＩＤ３０１２を階層的ＩＤとし、表示分割整理情報３００ｃ１が有する基本ＩＤ３０１２を選択分割整理情報３００ｃ２が有する基本ＩＤ３０１２が含む事により実現してもよいし、基本ＩＤ３０１２が分割単位３０１１ごとに固有の桁を有する数値であって、表示分割整理情報３００ｃ１が有する基本ＩＤ３０１２と選択分割整理情報３００ｃ２が有する基本ＩＤ３０１２とに、分割単位３０１１が表示範囲個数である桁に同じ値を与えることにより実現してもよい。
【００６５】
分割整理情報付表示用データ生成手段１１１は、抽出した分割整理情報３００の全てについて処理が完了した時点で、分割整理情報付表示用データ２００ｃを分割整理情報付表示用データ記憶手段１１２に通知する。
【００６６】
上記生成対象範囲２０２ｃ２は、時刻範囲であってもよいし、分割整理情報３００が有する基本ＩＤ３０１２の列挙であってもよい。
また、生成対象範囲２０２ｃ２は、自動で定期的に指定してもよいし、操作手段により手動で指定してもよい。
【００６７】
分割整理情報付表示用データ記憶手段１１２は、通知された分割整理情報付表示用データ２００ｃを記憶する。
【００６８】
表示用データ指定手段１１３は、表示用データラベル１１１１１を指定し、該表示用データラベル１１１１１、並びに当該表示用データラベル１１１１１を有する表示用データ生成器１１１１により生成される形式の表示用データ２０１ｃであって、当該表示用データ生成器１１１１の有する表示範囲個数とデータ幅が等しい表示範囲データ、および当該表示用データ生成器１１１１の有する選択範囲個数とデータ幅が等しい選択データを、関連ＩＤ表示用データ抽出手段１１４に通知する。
【００６９】
関連ＩＤ表示用データ抽出手段１１４は、分割整理情報付表示用データ記憶手段１１２が記憶する分割整理情報付表示用データ２００ｃのうち、表示用データ指定手段１１３により指定された表示用データラベル１１１１１を有するものを参照し、以下の処理を行う。
【００７０】
また、指定された表示範囲データに対応する表示分割整理情報３００ｃ１が有する関連ＩＤ３０２１の１つ以上を、関連ＩＤ３０２１として有する他の表示分割整理情報３００ｃ１を全て抽出し、表示分割整理情報３００ｃ１各々について、表示分割整理情報３００ｃ１が有する分割位置３０１３の示す範囲の表示用データ２０１ｃを抽出し、指定された表示用データラベル１１１１１を有する解析結果表示手段１１５に、表示用データ２０１ｃを新規表示範囲データとして通知する。
【００７１】
指定された選択データに対応する選択分割整理情報３００ｃ２が有する関連ＩＤ３０２１の１つ以上を、関連ＩＤ３０２１として有する他の選択分割整理情報３００ｃ２を全て抽出し、選択分割整理情報３００ｃ２各々について、選択分割整理情報３００ｃ２が有する分割位置の示す範囲の表示用データ２０１ｃを抽出し、指定された表示用データラベル１１１１１を有する解析結果表示手段１１５に、表示用データ２０１ｃを新規選択データとして通知する。
【００７２】
解析結果表示手段１１５は、通知された新規表示範囲データを表示し、新規選択データを、例えば強調表示など他のデータと識別して表示する。
【００７３】
なお、強調表示の方法は目立つ色で表示してもよいし、点や線のサイズを大きくしてもよいし、アニメーションを用いてもよい。
【００７４】
以上のように本実施の形態においては、分割整理情報付通信電文２００ａおよび分割整理情報付波形信号２００ｂを生成し、両者を関連付けた分割整理情報３００を抽出し、抽出した分割整理情報３００に基づいて分割整理情報付表示用データ２００ｃを生成し、表示分割整理情報３００ｃ１または選択分割整理情報３００ｃ２に対応する表示用データ２０１ｃを表示するので、通信電文と波形信号とを関連付けて解析することができる。
【００７５】
また、生成対象範囲２０２ｃ２を指定することにより、当該指定範囲に対応する表示用データ２０１ｃを表示するので、伝送路状態の解析を自動で行うことができ、通信プロトコルや波形信号に関する専門的な知識や経験がなくても、伝送障害の原因や障害発生箇所の特定を容易に行い、対処することができる。
さらに、通信解析手段１０９および波形解析手段１１０を複数備え、１つのデータを複数の解析手段で解析することが可能なので、特定の信号を多方面から集中的に解析することができ、解析作業の精度および効率の向上が見込める。
【産業上の利用可能性】
【００７６】
本発明の活用例として、ビルの空調システムなどの通信ネットワークの通信異常解析ツールが挙げられる。
【図面の簡単な説明】
【００７７】
【図１】本発明の実施の形態１に係る通信解析装置１００の構成を示す図である。
【図２】本発明の実施の形態１に係る分割整理情報付計測データ２００の構成を示す図である。
【図３】本発明の実施の形態１に係る分割整理情報３００の構成を示す図である。
【図４】本発明の実施の形態１に係る解析・同期手順１Ｂの動作を示す図である。
【図５】本発明の実施の形態１に係る分割整理情報３００を用いた通信電文２０１ａと波形信号２０１ｂとの関連付け方法を示す図である。
【符号の説明】
【００７８】
１００  通信解析装置、１０１  通信手段、１０２  波形計測手段、１０３  分割整理情報付通信電文記憶手段、１０４  分割整理情報付波形信号記憶手段、１０５  通信単位分割整理情報付与手段、１０６  通信単位同期判定手段、１０６１  通信単位同期判定条件、１０７  変調単位分割整理情報付与手段、１０８  変調単位同期判定手段、１０８１  変調単位同期判定条件、１０９  通信解析手段、１０９１  通信解析器、１０９１１  通信解析器ラベル、１０９１２  通信解析対象、１０９１３  通信解析単位、１０９２１  通信解析器ラベル、１１０  波形解析手段、１１０１  波形解析器、１１０１１  波形解析器ラベル、１１０１２  波形解析対象、１１０１３  波形解析単位、１１１  分割整理情報付表示用データ生成手段、１１１１  表示用データ生成器、１１１１１  表示用データラベル、１１１１２  生成対象、１１１１３  生成単位、１１２  分割整理情報付表示用データ記憶手段、１１３  表示用データ指定手段、１１４  関連ＩＤ表示用データ抽出手段、１１５  解析結果表示手段、２００  分割整理情報付計測データ、２００ａ  分割整理情報付通信電文、２００ｂ  分割整理情報付波形信号、２００ｃ  分割整理情報付表示用データ、２０１  計測データ、２０１ａ  通信電文、２０１ｂ  波形信号、２０１ｃ  表示用データ、２０２  計測データ情報、２０２ａ１  電文取得時刻、２０２ｂ１  波形取得時刻、２０２ｂ２  サンプリングレート、２０２ｃ２  生成対象範囲、２０３  分割整理情報処理フラグ、２０３ａ１  通信単位抽出フラグ、２０３ａ２  通信単位同期判定フラグ、２０３ａ３  変調単位抽出フラグ、２０３ａ４  変調単位同期判定フラグ、２０３ａ５  通信解析フラグ、２０３ｂ１  通信単位抽出フラグ、２０３ｂ２  通信単位同期判定フラグ、２０３ｂ３  変調単位抽出フラグ、２０３ｂ４  変調単位同期判定フラグ、２０３ｂ５  波形解析フラグ、３００  分割整理情報、３００ａ１  電文通信単位分割整理情報、３００ａ２  電文変調単位分割整理情報、３００ｂ１  波形通信単位分割整理情報、３００ｂ２  波形変調単位分割整理情報、３００ｃ１  表示分割整理情報、３００ｃ２  選択分割整理情報、３０１  基本情報、３０１１  分割単位、３０１２  基本ＩＤ、３０１３  分割位置、３０１４  分割時刻、３０１５  計測データ種類、３０２  関連情報、３０２１  関連ＩＤ、３０３  解析情報、３０３１  解析ラベル、３０３２  解析値。
【図１】
0005121480.tif 000002
【図２】
0005121480.tif 000003
【図３】
0005121480.tif 000004
【図４】
0005121480.tif 000005
【図５】
0005121480.tif 000006